(57)【要約】【課題】カム筒を備えたレンズ駆動装置の小径化、小型化等を図る。【解決手段】複数のレンズ枠５０，６０、複数のレンズ枠に対して光軸方向Ｌにカム作用を及ぼすカム筒３０、カム筒を光軸回りに回動自在に支持する固定筒２０を備え、カム筒３０は、光軸方向におけるその端面に形成された端面カム３１、その内周面に形成された内周カム３２を含み、複数のレンズ枠は、端面カム３１に当接するフォロワ片５３を有する第１レンズ枠５０、内周カム３２に挿入されるフォロワピン６４を有する第２レンズ枠６０を含む。これによれば、従来のようにカム筒の内周面にのみに内周カム（カム溝）を設けるのではなく、カム筒３０の端面に端面カム３１を設けて内周カム３２と併用したことにより、樹脂材料等を用いてカム筒３０を成型する場合に、内周カム３２の個数が減った分だけ、その成型が容易になり、小型化、小径化を達成することができる。【選択図】図１
2008112016.tif 000002
【特許請求の範囲】
【請求項１】
レンズを保持する複数のレンズ枠と、前記複数のレンズ枠に対して光軸方向にカム作用を及ぼすカム筒と、前記カム筒を光軸回りに回動自在に支持する固定筒と、を備えたレンズ駆動装置であって、
前記カム筒は、光軸方向におけるその端面に形成された端面カムと、その内周面に形成された内周カムと、を含み、
前記複数のレンズ枠は、前記端面カムに当接するフォロワ片を有する第１レンズ枠と、前記内周カムに挿入されるフォロワピンを有する第２レンズ枠と、を含む、
ことを特徴とするレンズ駆動装置。
【請求項２】
前記内周カムは、外側に貫通して形成された貫通カムである、
ことを特徴とする請求項１記載のレンズ駆動装置。
【請求項３】
前記固定筒は、前記貫通カムを貫通した前記第２レンズ枠のフォロワピンを受け入れて光軸方向にのみガイドするガイド溝を有し、
前記第１レンズ枠は、光軸方向に伸長するガイドシャフトに摺動自在にガイドされる被ガイド部を有する、
ことを特徴とする請求項２記載のレンズ駆動装置。
【請求項４】
前記カム筒は、その外周面において周方向に配列して形成された歯列を有する、
ことを特徴とする請求項１ないし３いずれかに記載のレンズ駆動装置。
【請求項５】
前記第２レンズ枠の後方に配置されてレンズを保持する第３レンズ枠と、前記第３レンズ枠の周りに配置されてネジ又はヘリコイド連結により前記第３レンズ枠を光軸方向に駆動する駆動リングと、をさらに含む、
ことを特徴とする請求項１ないし４いずれかに記載のレンズ駆動装置。
【請求項６】
前記駆動リングは、その外周面において周方向に配列して形成された歯列を有する、
ことを特徴とする請求項５記載のレンズ駆動装置。
【請求項７】
前記第３レンズ枠は、前記第１レンズ枠をガイドするガイドシャフトに摺動自在にガイドされる被ガイド部を有する、
ことを特徴とする請求項５又は６に記載のレンズ駆動装置。
【発明の詳細な説明】
【技術分野】
【０００１】
本発明は、光軸方向にレンズを駆動するレンズ駆動装置に関し、特に、レンズを保持したレンズ枠をカム作用により光軸方向に駆動するレンズ駆動装置に関する。
【背景技術】
【０００２】
従来のレンズ駆動装置としては、撮像素子等を固定するベース、ベースに固定された固定筒、固定筒の内側に同軸に配置されその内周面に複数のカム溝が形成されたカム筒、カム筒の内側に配置されカム溝に挿入されるフォロワピンをそれぞれ有すると共にレンズを保持する２つのレンズ枠等を備え、カム筒を回転させることにより、カム溝が対応するフォロワピンにカム作用を及ぼして、２つのレンズ枠を光軸方向に相対的に移動させるものが知られている（例えば、特許文献１参照）。
【０００３】
しかしながら、このレンズ駆動装置においては、カム筒がその内周面に複数のカム溝をもつインナーカム方式を採用するため、このカム筒を樹脂材料により成型する場合、金型を内スライド方式（カム筒の内側において、金型を軸心方向に移動させる以外に径方向に移動させる方式）にて成型する必要がある。この内スライド方式では、金型構造の制約から、カム筒を小径化するには限界があり、小型化及び小径化のさらなる要求に対応するのは困難である。
また、バランスの関係上、一つのレンズ枠には周方向において等間隔に３つのフォロワピンを設けるため、２つのレンズ枠を駆動するためには、合計６つのカム溝をカム筒に成型しなければならず、カム筒の小径化及び小型化は一層困難である。
【０００４】
【特許文献１】特開２００３−１３１１１１号公報
【発明の開示】
【発明が解決しようとする課題】
【０００５】
本発明は、上記の事情に鑑みて成されたものであり、その目的とするところは、構造の簡素化、小径化、小型化等を図りつつ、カム筒を樹脂材料等により容易に成型することができ、特に、デジタルスチルカメラ、携帯情報端末装置等に搭載されるモバイルカメラ等に好適なレンズ駆動装置を提供することにある。
【課題を解決するための手段】
【０００６】
本発明のレンズ駆動装置は、レンズを保持する複数のレンズ枠と、複数のレンズ枠に対して光軸方向にカム作用を及ぼすカム筒と、カム筒を光軸回りに回動自在に支持する固定筒と、を備えたレンズ駆動装置であって、上記カム筒は、光軸方向におけるその端面に形成された端面カムと、その内周面に形成された内周カムとを含み、上記複数のレンズ枠は、端面カムに当接するフォロワ片を有する第１レンズ枠と、内周カムに挿入されるフォロワピンを有する第２レンズ枠とを含む、ことを特徴としている。
この構成によれば、カム筒が固定筒に支持されつつ回転すると、その端面カムがフォロワ片にカム作用を及ぼして第１レンズ枠を光軸方向に移動させ、その内周カムがフォロワピンにカム作用を及ぼして第２レンズ枠を光軸方向に移動させる。これにより、第１レンズ枠と第２レンズ枠は、光軸方向に相対的に移動して、所定のズーミングを行うことになる。
ここで、従来のようにカム筒の内周面にのみに内周カム（カム溝）を設けるのではなく、カム筒の端面に端面カムを設けて内周カムと併用したことにより、樹脂材料等を用いてカム筒を成型する場合に、内周カムの個数が減った分だけ、その成型が容易になり、小型化、小径化を達成することができる。
【０００７】
上記構成において、内周カムは、外側に貫通して形成された貫通カムである、構成を採用することができる。
この構成によれば、内周カムを、カム溝ではなく外側まで貫通した貫通カムとすることにより、カム溝とする場合に必要な金型の抜け勾配等が不要になり、その分だけ、カム筒を小径化、小型化することができ、全体として装置を小型化することができる。
【０００８】
上記構成において、固定筒は、貫通カムを貫通した第２レンズ枠のフォロワピンを受け入れて光軸方向にのみガイドするガイド溝を有し、第１レンズ枠は、光軸方向に伸長するガイドシャフトに摺動自在にガイドされる被ガイド部を有する、構成を採用することができる。
この構成によれば、第２レンズ枠は、そのフォロワピンの先端部分が固定筒のガイド溝にガイドされることにより、光軸回りに回転することなく光軸方向にのみ案内され、又、第１レンズ枠は、その被ガイド部がガイドシャフトにガイドされることにより、光軸回りに回転することなく光軸方向にのみ案内される。
ここでは、固定筒の内周面にガイド溝を設けたことにより、ガイド溝を設ける専用のガイド筒（キー筒）が不要になり、構造の簡素化を達成でき、それ故に、小径化、小型化を達成することができる。
【０００９】
上記構成において、カム筒は、その外周面において周方向に配列して形成された歯列を有する、構成を採用することができる。
この構成によれば、カム筒は、その外周面に形成された歯列に噛合する歯車を介して駆動力が伝達されることで、所望の向きに回転駆動される。
したがって、駆動機構として、歯車及び駆動モータ等を採用するだけでよいため、構造を簡素化することができ、全体として装置を小型化することができる。
【００１０】
上記構成において、第２レンズ枠の後方に配置されてレンズを保持する第３レンズ枠と、第３レンズ枠の周りに配置されてネジ又はヘリコイド連結により第３レンズ枠を光軸方向に駆動する駆動リングと、をさらに含む、構成を採用することができる。
この構成によれば、第１レンズ枠及び第２レンズ枠が、カム作用を及ぼすカム筒により駆動され、第３レンズ枠が、ネジ又はヘリコイド連結による送り作用を及ぼす駆動リングにより駆動されて、３つのレンズ群によるズーミング（あるいはフォーカシング）が行われる。
すなわち、円筒状をなすカム筒と同様に、円筒状をなす駆動リングを用いるため、両者を光軸方向に隣接して配列することができ、構造の簡素化、部品の集約化、小径化、小型化等を達成することができる。
【００１１】
上記構成において、駆動リングは、その外周面において周方向に配列して形成された歯列を有する、構成を採用することができる。
この構成によれば、駆動リングは、その外周面に形成された歯列に噛合する歯車を介して駆動力が伝達されることで、所望の向きに回転駆動される。
したがって、駆動機構として、歯車及び駆動モータ等を採用するだけでよいため、構造を簡素化することができ、全体として装置を小型化することができる。
【００１２】
上記構成において、第３レンズ枠は、第１レンズ枠をガイドするガイドシャフトに摺動自在にガイドされる被ガイド部を有する、構成を採用することができる。
この構成によれば、第３レンズ枠は、その被ガイド部が第１レンズ枠をガイドするガイドシャフトにガイドされることにより、光軸回りに回転することなく光軸方向にのみ案内される。
ここでは、第３レンズ枠と第１レンズ枠のガイドシャフトが兼用されているため、その分だけ部品点数を削減することができ、構造の簡素化を達成でき、それ故に、小径化、小型化を達成することができる。
【発明の効果】
【００１３】
上記構成をなすレンズ駆動装置によれば、構造の簡素化、小径化、小型化等を達成しつつ、樹脂材料を用いて容易に成型することができるカム筒を備え、特に、デジタルスチルカメラ、携帯情報端末装置等に搭載されるモバイルカメラ等に好適なレンズ駆動装置を得ることができる。
【発明を実施するための最良の形態】
【００１４】
以下、本発明の最良の実施形態について、添付図面を参照しつつ説明する。
図１ないし図５は、本発明に係るレンズ駆動装置の一実施形態を示すものであり、図１ないし図３は広角端，中間，望遠端に位置するレンズ駆動装置の断面図、図４及び図５はカム筒の内周面及び外周面を示す展開図である。
【００１５】
このレンズ駆動装置は、図１ないし図３に示すように、ベース１０、ベース１０に固定された固定筒２０、固定筒２０の内側に配置されたカム筒３０、固定筒２０の内側でかつカム筒３０に隣接して光軸方向Ｌの後方Ｒに配置された駆動リング４０、光軸方向Ｌにおいて前方Ｆ（被写体側）から後方Ｒ（結像面側）に向けて配列された第１レンズ枠５０、第２レンズ枠６０、及び第３レンズ枠７０、第１レンズ枠５０及び第３レンズ枠７０を光軸方向Ｌにガイドする２つのガイドシャフト８０（一つのみ図示）、第１レンズ枠５０を光軸方向Ｌの一方（後方Ｒ）に向けて付勢するコイルスプリング９０、第３レンズ７０を光軸方向の一方（前方Ｆ）に向けて付勢するコイルスプリング１００、カム筒３０を回転駆動する駆動機構１１０、駆動リング４０を回転駆動する駆動機構１２０等を備えている。
【００１６】
ベース１０は、樹脂材料等を用いて外輪郭が略矩形をなす平板状に形成され、図１ないし図３に示すように、略矩形の開口部１１、開口部１１の後方において赤外線カットフィルタあるいはローパスフィルタ等のフィルタプレートＦＰ及びＣＣＤ等の撮像素子ＥＬを装着する凹部１２、固定筒２０を連結する連結部１３、２つのガイドシャフト８０の一端部を嵌合する２つの嵌合穴１４（一つのみ図示）、後述する駆動リング４０の後端面４４を受ける受け部１５、コイルスプリング１００の一端部を受ける受け部１６等を備えている。
【００１７】
固定筒２０は、樹脂材料等を用いて光軸Ｌ上に軸心をもつように円筒状に形成され、図１ないし図３に示すように、最も前方において円形の開口を画定する口径板２１ａを固定する前壁部２１、カム筒３０を回動自在に支持する内周面２２、内周面２２の一部おいて光軸方向Ｌに伸長するように形成され後述する第２レンズ枠６０のフォロワピン６４を受け入れる３つのガイド溝２３（一つのみ図示）、後述するカム筒３０の後端面３３及び後述する駆動リング４０の前端面４３を受け部２４、２つのガイドシャフト８０の他端部を嵌合する２つの嵌合穴２５（一つのみ図示）、コイルスプリング９０の一端部を受ける受け部２６、後述する駆動機構１１０の歯車１１１を回動自在に支持する支持部２７、後述する駆動機構１２０の歯車１２１を回動自在に支持する支持部２８等を備えている。
【００１８】
内周面２２は、後述するカム筒３０の外周面３４を嵌入させて、回動（摺動）自在に支持するように形成されている。
３つのガイド溝２３は、周方向において等間隔（１２０度ごと）に配置して形成されており、後述する第２レンズ枠６０の３つのフォロワピン６４をそれぞれ受け入れて、光軸方向Ｌにのみ案内するようになっている。
このように、固定筒２０の内周面２２にガイド溝２３を設けたことにより、ガイド溝を設ける専用のガイド筒（キー筒）が不要になり、構造の簡素化を達成でき、それ故に、小径化、小型化を達成することができる。
【００１９】
カム筒３０は、樹脂材料等を用いて光軸Ｌ上に軸心をもつように円筒状に形成され、図１ないし図５に示すように、その前端面に形成された３つの端面カム３１、その内周面において貫通するように形成された内周カムとしての３つの貫通カム３２、固定筒２０の受け部２４に当接する後端面３３、固定筒２０の内周面２２に摺動自在に支持される外周面３４、外周面３４において周方向に配列するように形成された歯列３５等を備えている。
【００２０】
３つの端面カム３１は、図４及び図５に示すように、周方向において１２０度の間隔に分けて同一のカムプロフィル（光軸方向Ｌの前方Ｆに向かうと共に回転角度に応じて高さが変化する面）をなすように形成されており、後述する第１レンズ枠５０の３つのフォロワ片５３を摺動自在に受けるようになっている。
【００２１】
３つの貫通カム３２は、図４及び図５に示すように、径方向の内側から外側に向けて貫通して形成され、かつ、展開した状態で所定の傾斜角度をなす直線となる螺旋状に形成されている。また、３つの貫通カム３２の後端から後端面３３までの延長領域は、内周面が肉抜きされた薄肉部３２ａとして形成されている。
このように、カム筒３０の内周面にのみに内周カム（カム溝）を設けるのではなく、カム筒３０の前端面に端面カム３１を設けたことにより、第１レンズ枠５０にカム作用を及ぼす貫通カム（内周カム）３２が不要になり、その分だけ、内周面における貫通カム（内周カム）３２の個数を減らすことができ、樹脂材料等を用いてカム筒３０を成型する場合に、その成型が容易になり、小型化、小径化を達成することができる。
特に、内周カムをカム溝ではなく貫通カム３２としたことにより、カム溝とする場合に必要な金型の抜け勾配等が不要になり、その分だけ、カム筒３０を小径化、小型化することができ、全体として装置を小型化することができ、又、螺旋状の貫通カム３２とすることで、金型を回転抜き成型とすることができ、内径をより小さく（小径化）することができると共に、後端面３３は、切り欠かずに薄肉部３２ａとして残すことができるので、カム筒３０の強度を確保することができる。
【００２２】
後端面３３は、光軸Ｌに垂直な平面と平行な環状面をなすように形成されて、固定筒２０の受け部２４に対して、光軸方向Ｌの前方側から当接して回動（摺動）自在に支持されるようになっている。
歯列３５は、外周面３４上において、光軸方向Ｌにおける端面カム３１と貫通カム３２の間の領域において周方向に配列するように形成されている。
ここでは、カム筒３０の外周面３４に歯列３５を有するため、歯列３５に噛合する後述の歯車１１１を介して、駆動力を容易に伝達させることができる。
【００２３】
駆動リング４０は、樹脂材料等を用いて光軸Ｌ上に軸心をもつ円環状に形成され、図１ないし図３に示すように、その内周面に形成された雌ネジ（又はヘリコイド）４１、外周面において周方向に配列して形成された歯列４２、固定筒２０の受け部２４に当接する前端面４３、ベース１０の受け部１５に当接する後端面４４等を備え、固定筒２０の内側においてカム筒３０の後方に隣接して光軸Ｌ回りに回動自在に配置されている。
【００２４】
雌ネジ４１は、後述する第３レンズ枠７０の雄ネジ７３と螺合して、駆動リング４０が回転することにより、光軸方向Ｌにネジ送り作用を及ぼすようになっている。
前端面４３及び後端面４４は、光軸Ｌに垂直な平面と平行な環状面をなすように形成されて、固定筒２０の受け部２４とベース１０の受け部１５により光軸方向Ｌへの移動が規制されつつ光軸Ｌ回りに回動自在に支持されるようになっている。
ここでは、駆動リング４０の外周面に歯列４２を有するため、歯列４２に噛合する後述の歯車１２１を介して、駆動力を容易に伝達させることができる。
【００２５】
第１レンズ枠５０は、樹脂材料等を用いて形成され、図１ないし図３に示すように、レンズＧ１を保持する円筒部５１、円筒部５１から径方向に円板状に延出した鍔部５２、鍔部５２の外縁部から後方に延出するように形成された３つのフォロワ片５３、鍔部５２に形成された２つの被ガイド部５４（一つのみ図示）、円筒部５１の周りに形成されてコイルスプリング９０の他端部を受ける受け部５５等を備えている。
【００２６】
３つのフォロワ片５３は、コイルスプリング９０の付勢力により、カム筒３０の対応する端面カム３１と常時当接した状態に維持される。
そして、第１レンズ枠５０は、２つの被ガイド部５４が２つのガイドシャフト８０に摺動自在に外嵌されることにより光軸方向Ｌに移動自在に支持され、３つのフォロワ片５３がカム筒３０の対応する端面カム３１によりカム作用を受けることで、光軸方向Ｌの所定の位置に移動させられるようになっている。
【００２７】
第２レンズ枠６０は、樹脂材料等を用いて形成され、図１ないし図３に示すように、レンズＧ２を保持する円筒部６１、円筒部６１から径方向に円板状に延出した鍔部６２、鍔部６２の外縁部においてカム筒３０の内周面に摺動自在に嵌合される円筒部６３、円筒部６３に対して径方向外向きに突出するように植設された３つのフォロワピン６４（一つのみ図示）等を備えている。
【００２８】
３つのフォロワピン６４は、カム筒３０の対応する貫通カム３２に挿入されると共に、その先端部が固定筒２０の対応するガイド溝２３に挿入される。
そして、第２レンズ枠６０は、フォロワピン６４とガイド溝２３の係合により光軸方向Ｌに移動自在に支持され、３つのフォロワピン６４がカム筒３０の対応する貫通カム３２によりカム作用を受けることで、光軸方向Ｌの所定の位置に移動させられるようになっている。
【００２９】
第３レンズ枠７０は、樹脂材料等を用いて形成され、図１ないし図３に示すように、レンズＧ３を保持する円筒部７１、円筒部７１から径方向に円板状に延出した鍔部７２、鍔部７２の外周面に形成された雄ネジ（又はヘリコイド）７３、鍔部７２に形成された２つの被ガイド部７４（一つのみ図示）、円筒部７１の周りに形成されてコイルスプリング１００の他端部を受ける受け部７５等を備えている。
【００３０】
雄ネジ７３は、駆動リング４０の雌ネジ４２と螺合して、駆動リング４０の回転により、光軸方向Ｌにネジ送り作用を受けるようになっている。
すなわち、第３レンズ枠７０は、２つの被ガイド部７４が２つのガイドシャフト８０に摺動自在に外嵌されることにより光軸方向Ｌに移動自在に支持され、雄ネジ７３が駆動リング４０の雌ネジ４２によりネジ送り作用を受けることで、光軸方向Ｌの所定の位置に移動させられるようになっている。
【００３１】
２つのガイドシャフト８０は、図１ないし図３に示すように（一つのみ図示）、金属材料等を用いて光軸方向Ｌに伸長する円柱状に形成され、第１レンズ枠５０の被ガイド部５４及び第３レンズ枠７０の被ガイド部７４が摺動自在に外嵌されて、その一端部がベース１０の嵌合穴１４に嵌合され、その他端部が固定筒２０の嵌合穴２５に嵌合されている。そして、ガイドシャフト８０は、第１レンズ枠５０及び第３レンズ枠７０を光軸Ｌ回りの回転を規制しつつ光軸方向Ｌに摺動自在にガイドするようになっている。
ここでは、第１レンズ枠５０と第３レンズ枠７０を光軸方向Ｌにガイドするべく、共通のガイドシャフト８０が兼用されているため、別々にガイドシャフトを設ける場合に比べて、部品点数を削減することができ、構造の簡素化を達成でき、それ故に、小径化、小型化を達成することができる。
【００３２】
コイルスプリング９０は、その一端部が固定筒２０の受け部２６に当接され、その他端部が第１レンズ枠５０の受け部５５に当接されて、所定の圧縮代に圧縮した状態に組み込まれている。
したがって、コイルスプリング９０は、第１レンズ枠５０に対して、光軸方向Ｌの後方に向けて常時付勢力を及ぼすようになっている。
【００３３】
コイルスプリング１００は、その一端部がベース１０の受け部１６に当接され、その他端部が第３レンズ枠７０の受け部７５に当接されて、所定の圧縮代に圧縮した状態に組み込まれている。
したがって、コイルスプリング１００は、第３レンズ枠７０に対して、光軸方向Ｌの前方に向けて常時付勢力を及ぼすようになっている。
【００３４】
駆動機構１１０は、図１ないし図３に示すように、固定筒２０の支持部２７に回動自在に支持されると共にカム筒３０の歯列３５に噛合する歯車１１１、歯車１１１と噛合する駆動歯車１１２、駆動歯車１１２を直結する駆動モータ１１３等により形成されている。尚、駆動モータ１１３は、固定筒２０の外周面に対して、ブラケット（不図示）等を介して固定されている。すなわち、駆動モータ１１３が回転すると、駆動歯車１１２及びは車１１１を介して、カム筒３０が回転させられるようになっている。
このように、第１レンズ枠５０を光軸方向Ｌに駆動する駆動機構１１０として、歯車１１１、駆動歯車１１２、及び駆動モータ１１３等を採用するだけでよいため、構造を簡素化することができ、全体として装置を小型化することができる。
【００３５】
駆動機構１２０は、図１ないし図３に示すように、固定筒２０の支持部２８に回動自在に支持されると共に駆動リング４０の歯列４２に噛合する歯車１２１、歯車１２１と噛合する駆動歯車１２２、駆動歯車１２２を直結する駆動モータ１２３等により形成されている。尚、駆動モータ１２３は、固定筒２０の外周面に対して、ブラケット（不図示）等を介して固定されている。すなわち、駆動モータ１２３が回転すると、駆動歯車１２２及びは車１２１を介して、駆動リング４０が回転させられるようになっている。
このように、第３レンズ枠７０を光軸方向Ｌに駆動する駆動機構１２０として、歯車１２１、駆動歯車１２２、及び駆動モータ１２３等を採用するだけでよいため、構造を簡素化することができ、全体として装置を小型化することができる。
【００３６】
次に、上記構成をなすレンズ駆動装置の動作について、図１ないし図３を参照しつつ説明する。
先ず、広角端撮影位置においては、図１及び図４中の二点鎖線Ｗ（５３，６４）に示すように、第１レンズ枠５０は光軸方向Ｌの最も前方Ｆ（被写体側）に繰り出した状態にあり、第２レンズ枠６０は光軸方向Ｌの最も後方Ｒ（結像面側）に繰り込んだ状態にある。また、第３レンズ枠７０は、光軸方向Ｌの前方Ｆに所定量だけ繰り出した状態にある。
【００３７】
続いて、駆動モータ１１３が一方向に回転して、駆動歯車１１２及び歯車１１１を介して回転駆動力が及ぼされると、カム筒３０が一方向に回転して、端面カム３１がフォロワ片５３にカム作用を及ぼすと共に貫通カム３２がフォロワピン６４にカム作用を及ぼして、図２及び図４中の二点鎖線Ｍ（５３，６４）に示すように、第１レンズ枠５０が所定量だけ後方Ｒに移動し、第２レンズ枠６０が所定量だけ前方Ｆに移動する。また、駆動モータ１２３が一方向に回転して、駆動歯車１２２及び歯車１２１を介して回転駆動力が及ぼされ、駆動リング４０が一方向に回転して、ネジ送り作用により、図２に示すように、第３レンズ枠７０が所定量だけ後方Ｒに移動する。これにより、第１レンズ枠５０、第２レンズ枠６０、及び第３レンズ枠７０は、中間撮影位置に至る。
【００３８】
続いて、駆動モータ１１３がさらに同一方向に回転して、駆動歯車１１２及び歯車１１１を介して回転駆動力が及ぼされると、カム筒３０がさらに同一方向に回転して、端面カム３１がフォロワ片５３にカム作用を及ぼすと共に貫通カム３２がフォロワピン６４にカム作用を及ぼして、図３及び図４中の二点鎖線Ｔ（５３，６４）に示すように、第１レンズ枠５０が所定量だけ前方Ｆに移動し、第２レンズ枠６０が所定量だけ前方Ｆに移動する。また、駆動モータ１２３が逆方向に僅かに回転して、駆動歯車１２２及び歯車１２１を介して回転駆動力が及ぼされ、駆動リング４０が逆方向に僅かに回転して、ネジ送り作用により、図３に示すように、第３レンズ枠７０が所定量だけ僅かに前方Ｆに移動する。これにより、第１レンズ枠５０、第２レンズ枠６０、及び第３レンズ枠７０は、望遠端撮影位置に至る。
【００３９】
一方、逆の動作により、第１レンズ枠５０、第２レンズ枠６０、及び第３レンズ枠７０が、望遠端撮影位置から広角端撮影位置に移動する。上記一連の動作により、第１レンズ５０及び第２レンズ６０がズーミングを行い、第３レンズ枠７０がフォーカシングを行うようになっている。
【００４０】
上記のように、カム筒３０の回転により、端面カム３１がフォロワ片５３にカム作用を及ぼして第１レンズ枠５０を光軸方向Ｌに移動させ、貫通カム３２がフォロワピン６４にカム作用を及ぼして第２レンズ枠６０を光軸方向Ｌに移動させることにより、所定のズーミングが得られ、又、駆動リング４０の回転により、ネジ送り作用が得られて、第３レンズ枠７０を光軸方向Ｌに移動させることにより、所定のフォーカシングが得られる。
すなわち、ズーミングを得るために円筒状をなすカム筒３０を採用しフォーカシングを得るために円筒状（環状）をなす駆動リング４０を採用し、かつ、カム筒３０と駆動リング４０とが光軸Ｌ上に軸心をもつように、両者を光軸方向Ｌに隣接して配列することができるため、構造の簡素化、部品の集約化、小径化、小型化等を達成することができる。
【００４１】
上記実施形態においては、複数のレンズ枠として、カム筒３０により駆動される２つのレンズ枠５０，６０と、駆動リング４０により駆動される１つのレンズ枠７０を示したが、これに限定されるものではなく、端面カム３１により駆動されるレンズ枠５０を含む構成であれば、貫通カムにより駆動される２つ以上のレンズ枠を採用してもよい。
上記実施形態においては、カム筒３０の内周面に形成される内周カムとして、貫通カム３２を示したが、これに限定されるものではなく、端面カム３１を採用する限り、内周カムとしてカム溝を採用してもよい。
【産業上の利用可能性】
【００４２】
以上述べたように、本発明のレンズ駆動装置は、構造の簡素化、小径化、小型化等を達成しつつ、樹脂材料を用いて容易に成型することができるため、軽量化、低コスト化、小型化が要求されるデジタルスチルカメラあるいは携帯情報端末装置等に搭載されるモバイルカメラ等に利用できるのは勿論のこと、小型化及び軽量化が要求されるその他のレンズ光学系にも有用である。
【図面の簡単な説明】
【００４３】
【図１】本発明に係るレンズ駆動装置の一実施形態を示すものであり、広角端撮影位置にある状態を示す断面図である。
【図２】本発明に係るレンズ駆動装置の一実施形態を示すものであり、中間撮影位置にある状態を示す断面図である。
【図３】本発明に係るレンズ駆動装置の一実施形態を示すものであり、望遠端撮影位置にある状態を示す断面図である。
【図４】レンズ駆動装置の一部をなすカム筒の内周面を示す展開図である。
【図５】レンズ駆動装置の一部をなすカム筒の外周面を示す展開図である。
【符号の説明】
【００４４】
Ｌ  光軸
ＦＬ  フィルタプレート
ＥＬ  撮像素子
１０  ベース
１１  開口部
１２  凹部
１３  連結部
１４  嵌合穴
１５，１６  受け部
２０  固定筒
２１  前壁部
２１ａ  口径板
２２  内周面
２３  ガイド溝
２４  受け部
２５，２６  嵌合穴
２７，２８  支持部
３０  カム筒
３１  端面カム
３２  貫通カム（内周カム）
３３  後端面
３４  外周面
３５  歯列
４０  駆動リング
４１  雌ネジ
４２  歯列
４３  前端面
４４  後端面
５０  第１レンズ枠
Ｇ１  レンズ
５１  円筒部
５２  鍔部
５３  フォロワ片
５４  被ガイド部
５５  受け部
６０  第２レンズ枠
Ｇ２  レンズ
６１  円筒部
６２  鍔部
６３  円筒部
６４  フォロワピン
７０  第３レンズ枠
Ｇ３  レンズ
７１  円筒部
７２  鍔部
７３  雄ネジ
７４  被ガイド部
７５  受け部
８０  ガイドシャフト
９０，１００  コイルスプリング
１１０，１２０  駆動機構
１１１，１２１  歯車
１１２，１２２  駆動歯車
１１３，１２３  駆動モータ
【図１】
2008112016.tif 000003
【図２】
2008112016.tif 000004
【図３】
2008112016.tif 000005
【図４】
2008112016.tif 000006
【図５】
2008112016.tif 000007